(57)【要約】【課題】バックライトアセンブリ及びこれを利用した液晶表示装置を提供する。【解決手段】ディスプレーに必要な光を供給するランプのピッチとランプからランプの上面に位置した光学プレートまでのギャップとを精密に調節して、ランプによる輝線が光学プレートの外部で観測されることを最少化することは勿論、ランプ及び光学プレートとがなすギャップを最少化して高品質ディスプレーを具現することができるようにする。【選択図】　　　図２
2004063459.tif 000002
【特許請求の範囲】
【請求項１】
収納容器と、前記収納容器に少なくとも２個が配置されたランプと、
前記ランプで発生した光の輝度均一性を向上させるための光学プレートとを含むバックライトアセンブリにおいて、
前記ランプの輝線が前記光学プレートの外部で認識されないようにするために、前記ランプの中心間の距離であるピッチの前記ランプの中心から前記ランプと向き合う光学プレート面までの間の距離であるギャップに対する比率である輝線防止比率（ピッチ／ギャップ）は１．３〜２．０であることを特徴とするバックライトアセンブリ。
【請求項２】
前記輝線防止比率は１．７〜１．８であることを特徴とする請求項１に記載のバックライトアセンブリ。
【請求項３】
前記光学プレートの透過率は３５％〜６５％であることを特徴とする請求項１に記載のバックライトアセンブリ。
【請求項４】
前記光学プレートの外側面には輝度均一性をさらに向上させるために、少なくとも一枚の光学シートがさらに設けられることを特徴とする請求項１に記載のバックライトアセンブリ。
【請求項５】
前記光学シートの外側面には前記光学シートで拡散された拡散光を再生して光の利用効率を増加させるための輝度強化フィルムがさらに設けられることを特徴とする請求項４に記載のバックライトアセンブリ。
【請求項６】
収納容器と、前記収納容器に少なくとも２個が配置されたランプと、
前記ランプで発生した光を拡散させるための光学プレートと、前記拡散プレートのうちの前記ランプと向き合う所に形成された拡散パターンとを含むバックライトアセンブリにおいて、
前記ランプの輝線が前記拡散プレートの外部で認識されないようにするために、前記ランプの中心間の距離であるピッチの前記ランプの中心から前記ランプと向き合う前記拡散プレート面までの間の距離であるギャップに対する比率である輝線防止比率（ピッチ／ギャップ）は１．３〜２．８であることを特徴とするバックライトアセンブリ。
【請求項７】
前記拡散プレートの透過率は３５％〜６５％であることを特徴とする請求項６に記載のバックライトアセンブリ。
【請求項８】
前記拡散プレートの外側面には前記光の輝度をさらに向上させるために、少なくとも一枚の拡散シートがさらに設けられることを特徴とする請求項６に記載のバックライトアセンブリ。
【請求項９】
前記拡散シートの外側面には前記拡散シートで拡散された拡散光を再生して光の利用効率を向上させるための輝度強化フィルムがさらに設けられることを特徴とする請求項８に記載のバックライトアセンブリ。
【請求項１０】
収納容器、前記収納容器に少なくとも２個が配置されて第１光を発生させるランプ、及び、前記光の輝度分布を均一にするための光学プレートであって、前記ランプから発生した前記第１光の輝線が認識されないようにするために、前記ランプの中心間の距離であるピッチの前記ランプの中心から前記光学プレートの前記ランプと向き合う面までの間の距離であるギャップに対する比率である輝線防止比率（ピッチ／ギャップ）が１．３〜２．８になるように構成されている、光学プレートを含むバックライトアセンブリと、
前記収納容器に収納され、前記ランプで発生した前記第１光のうちの前記光学プレートで拡散された第２光によりディスプレーを実施する液晶表示パネルアセンブリと、
前記液晶表示パネルアセンブリを前記収納容器に固定させるためのシャーシとを含むことを特徴とする液晶表示装置。
【請求項１１】
前記輝線防止比率は１．７〜１．８であることを特徴とする請求項１０に記載の液晶表示装置。
【請求項１２】
前記ランプと向き合う前記光学プレートには、前記第１光を拡散させるための拡散パターンが形成されたことを特徴とする請求項１０に記載の液晶表示装置。
【請求項１３】
前記輝線防止比率は２．３〜１．７であることを特徴とする請求項１２に記載の液晶表示装置。
【請求項１４】
前記光学プレートの透過率は３５％〜６５％であることを特徴とする請求項１０に記載の液晶表示装置。
【請求項１５】
前記光学プレートと前記液晶表示パネルアセンブリとの間には、少なくとも一枚の拡散シートをさらに含むことを特徴とする請求項１０に記載の液晶表示装置。
【請求項１６】
前記光学シートの上面には前記光学シートで拡散された第３光を再生して光の利用効率を向上させるための輝度強化フィルムをさらに含むことを特徴とする請求項１５に記載の液晶表示装置。
【請求項１７】
前記ランプのピッチは１３ｍｍ〜２３ｍｍであることを特徴とする請求項１０記載の液晶表示装置。
【発明の詳細な説明】
【０００１】
【発明の属する技術分野】
本発明はバックライトアセンブリ及びこれを利用した液晶表示装置に関するものであり、より詳細には、並列に配列された複数個のランプによる輝線（ｂｒｉｇｈｔ　ｌｉｎｅ）が認識されないようにすると同時に、体積及び厚さが最小になるようにし、輝度は最大になるようにしたバックライトアセンブリ及びこれを利用した液晶表示装置に関するものである。
【０００２】
【従来の技術】
一般に、液晶表示装置は液晶を利用して画像等の表示（ディスプレー）を実施する。液晶は情報が含まれない光を情報が含まれたイメージ光に変更させる役割を有する。
【０００３】
従って、液晶表示装置は液晶を精密に制御する液晶制御パート及び液晶制御パートに光を供給するためのバックライトアセンブリを含む光供給パートにより構成される。
【０００４】
これらのうち、光供給パートは、液晶表示装置の品質に特に多くの影響を及ぼす。光供給パートにより影響を受ける項目はディスプレー輝度、消費電力及び液晶表示装置の厚さ及び体積などである。
【０００５】
最近、液晶表示装置のディスプレー面積が段々増加され、液晶制御パートの面積が大きく増加されているのが実情である。これにより、光供給パートから液晶制御パートに供給すべき光量も共に増加されている趨勢である。
【０００６】
最近、増加された液晶制御パートの面積に適している光量を供給するために、液晶制御パートの下部に複数個の光源、例えば、冷陰極線管方式ランプを並列配置した方式のバックライトアセンブリが開発されたことがある。
【０００７】
このように、液晶制御パートの下部に複数個の光源を並列配置した方式のバックライトアセンブリを採用する液晶表示装置は、“直下型液晶表示装置”と呼ばれる。
【０００８】
従来、直下型液晶表示装置は、前述したように液晶制御パートに豊富な光量を有する光を供給することができるという長所を有する。
【０００９】
一方、従来直下型液晶表示装置は、光源が並列配列されるので、輝度が不均一になる問題点及び液晶表示装置の厚さ及び体積が増加されるなどの短所も共に有する。
【００１０】
従来、直下型液晶表示装置には、このような輝度不均一による表示品質低下を防止するために光源で発生した光を拡散させる“光拡散プレート（ｌｉｇｈｔ　ｄｉｆｆｕｓｉｏｎ　ｐｌａｔｅ）”が使用される。
【００１１】
しかし、従来の直下型液晶表示装置は、光拡散プレートを使用しても光源と光源との間のピッチ及び光源から光拡散プレートまでのギャップにより、輝度に関する問題点、及び光拡散プレートの外側からランプが認識される輝線が発生するという問題点を有する。
【００１２】
具体的に、輝線を除去するために光源のピッチを固定させた状態で光源と光拡散プレートとの間のギャップを増加させる場合、ディスプレー輝度が急激に減少して激しいディスプレー品質低下が発生する。この場合、直下型液晶表示装置の厚さ及び体積が相当に大きくなる。
【００１３】
一方、光源のピッチを固定させた状態で光拡散プレートのギャップを減少させる場合、輝度問題は解決されるが、輝線が使用者の目に認識されディスプレー不良が発生するという問題点を有する。
【００１４】
また、光源と光拡散プレートとの間のギャップを固定させた状態で光源間ピッチを増加させる場合、ディスプレー品質に影響を及ぼす輝度が大きく低下し、ディスプレー品質低下が発生するという問題点を有する。
【００１５】
一方、光源と光拡散プレートとの間のギャップを固定させた状態で光源間ピッチを減少させる場合、輝度は大きく向上するが、輝線の個数が増加し、消費電力が大きく増加するという問題点を有する。
【００１６】
【発明が解決しようとする課題】
本発明の目的は、光源のピッチの光源と光拡散プレートとの間のギャップに対する比率を最適化して、輝度、消費電力、厚さ及び体積を最適化させることにより、高品質ディスプレーを具現することができるバックライトアセンブリを提供することにある。
【００１７】
本発明の他の目的は、光源のピッチの光源と光拡散プレートとの間のギャップに対する比率を最適化して、輝度、消費電力、厚さ及び体積を最適化したバックライトアセンブリを使用して高品質ディスプレーを具現することができる液晶表示装置を提供することにある。
【００１８】
【発明の解決するための手段】
上述した第１目的を達成するための本発明は、収納容器と、前記収納容器に少なくとも２個が配置されたランプと、前記ランプで発生した光の輝度均一性を向上させるための光学プレートとを含むバックライトアセンブリにおいて、前記ランプの輝線が前記光学プレートの外部で認識されないようにするために、前記ランプの中心間の距離であるピッチの前記ランプの中心から前記ランプと向き合う光学プレート面までの間の距離であるギャップに対する比率である輝線防止比率（ピッチ／ギャップ）は１．３〜２．０であることを特徴とするバックライトアセンブリを提供する。
【００１９】
上述した第２目的を達成するための本発明は、収納容器、前記収納容器に少なくとも２個が配置されて第１光を発生させるランプ、及び、前記光の輝度分布を均一にするための光学プレートであって、前記ランプから発生した前記第１光の輝線が認識されないようにするために、前記ランプの中心間の距離であるピッチの前記ランプの中心から前記光学プレートの前記ランプと向き合う面までの間の距離であるギャップに対する比率である輝線防止比率（ピッチ／ギャップ）が１．３〜２．８になるように構成されている光学プレートを含むバックライトアセンブリと、前記収納容器に収納され、前記ランプで発生した前記第１光のうちの前記光学プレートで拡散された第２光によりディスプレーを実施する液晶表示パネルアセンブリと、前記液晶表示パネルアセンブリを前記収納容器に固定させるためのシャーシとを含むことを特徴とする液晶表示装置を提供する。
【００２０】
本発明によると、ディスプレーに必要である光を提供するランプのピッチ、及び、ランプの中心とランプから発生した光を拡散させる光学プレートとの間のギャップを精密に調節して、バックライトアセンブリの厚さ及び体積を最少化するとともに、ランプの輝線が認識されないようにすることは勿論、輝度を最適化するという長所を有する。
【００２１】
【発明の実施の形態】
以下、図面を参照して本発明の望ましい一実施形態をより詳細に説明する。
【００２２】
図１は、本発明の第１実施形態によるバックライトアセンブリの平面図である。図２は、本発明の第１実施形態によるバックライトアセンブリのＡ−Ａ断面図である。
【００２３】
図２に示すように、バックライトアセンブリ１００は収納容器１１０、ランプ１２０及び光学プレート１３０を含む。図２に示した図面符号１４０は収納容器１１０に設けられてランプ１２０で発生した光を光学プレート１３０側に反射させる反射板である。
【００２４】
収納容器１１０は、収納フレーム１１５及びボトムシャーシ１１９により構成される。
【００２５】
図１に示すように、収納フレーム１１５は相互に連結された四つの側壁１１１ａ、１１１ｂ、１１１ｃ、１１１ｄ；１１１により構成される。ランプ１２０は収納フレーム１１５の側壁１１１ａ、１１１ｂ、１１１ｃ、１１１ｄのうち、図面符号１１１ｂ、１１１ｄに示した側壁に結合される。
【００２６】
一方、ボトムシャーシ１１９は四角形状を有する基底面１１６及び基底面１１６のエッジから延びるボトムシャーシ側壁１１７により構成される。
【００２７】
図３は図１のＢ−Ｂの断面図である。
【００２８】
図３に示すように、ランプ１２０は少なくとも２個が、収納フレーム１１５の４個の側壁１１１ａ、１１１ｂ、１１１ｃ、１１１ｄのうち、相互に向き合う２個の側壁１１１ｂ、１１１ｄにランプの端部が向くように、並列に並べて配置される。
【００２９】
これらの結合関係で、収納フレーム１１５の内部にランプ１２０が配置された状態で、収納フレーム１１５の各々の側壁１１１ａ、１１１ｂ、１１１ｃ、１１１ｄの内側面にはボトムシャーシ側壁１１７の外側面が結合される。
【００３０】
収納フレーム１１５及びボトムシャーシ１１９は一実施形態として、相互にフック結合される。例えば、収納フレーム１１５にはフック（図示せず）が形成され、ボトムシャーシ１１９にはフックに結合されるフック結合孔（図示せず）が形成される。
【００３１】
反射板１４０はランプ１２０とボトムシャーシ１１９の基底面１１６との間に設けられ、ランプ１２０で発生した光の一部を光学プレート１３０側に反射させる。
【００３２】
光学プレート１３０はランプ１２０で発生した光の輝度均一性を向上させる役割を有する。これを具現するための光学プレート１３０は収納フレーム１１５の側壁１１１ａ、１１１ｂ、１１１ｃ、１１１ｄの上端部に定着され固定される。
【００３３】
光学プレート１３０は望ましい一実施形態として、ランプ１２０で入射された光のうち、３５％〜６５％を透過させる。
【００３４】
望ましい一実施形態として、本発明では４１％、４９％または５９％の光透過率を有する光学プレートが選択され使用される。
【００３５】
このような構成を有する本発明の第１実施形態によるバックライトアセンブリ１００においては、ランプ１２０のピッチＰと、各ランプ１２０の中央と光学プレート１３０の底面との間のギャップＧが非常に重要である。
【００３６】
以下、“ピッチ”はランプ１２０の中央とそのランプ１２０に隣接するランプ１２０の中央との間の間隔として定義され、“ギャップ”はランプ１２０の中央から光学プレート１３０の底面までの間隔として定義される。
【００３７】
ここで、収納容器１１０の内部に配置されたランプ１２０の直径は全て同一であり、ランプ１２０は同じ高さで収納容器１１０内に取付けられている。
【００３８】
図２に示すように、ランプ１２０のピッチＰと各ランプ１２０の中央から光学プレート１３０の底面までのギャップＧとの関係により、光学プレート１３０の外部ではランプ１２０の輝線が認識される場合と、認識されない場合とがある。
【００３９】
ランプ１２０の輝線が光学プレート１３０の外部で認識される場合、ディスプレーされる映像のうち、ランプ１２０により発生した輝線に近い所では映像が相当に明るくディスプレーされ、ランプ１２０により発生した輝線と輝線との間では映像が相対的に暗くディスプレーされる。
【００４０】
このような輝線は、多くの場合映像のディスプレー品質を大きく低下させる。
【００４１】
本発明では、このように輝線により映像のディスプレー品質が大きく低下されることを防止するために図２に示したランプ１２０のピッチＰと各ランプ１２０の中央と光学プレート１３０の底面との間のギャップＧが非常に多様に変更され、これによりピッチＰとギャップＧの最適値が算出される。
【００４２】
ここで、輝線発生に影響を及ぼす要因は前述したように、ランプ１２０のピッチＰ、各ランプ１２０の中央から光学プレート１３０の底面までのギャップＧ、及び光学プレートの透過率である。
【００４３】
以下、ランプ１２０のピッチＰ、各ランプ１２０の中央から光学プレート１３０の底面までの間のギャップＧ、及び光学プレート１３０の透過率を精密に調節してランプ１２０の輝線が見えないようにしながら、消費電力、厚さ及び体積は最少化させ、輝度は極大化することができるバックライトアセンブリの多様な実施形態を説明する。
【００４４】
以下に示す表において、輝線評価に使用される記号×はディスプレーは可能であるが、輝線が認識されることを意味し、記号△はディスプレーは可能であるが、記号×よりは弱く輝線が認識されることを意味し、記号●は光学プレートに光拡散パターンを形成する場合に輝線を大部分除去することができることを意味し、◎は輝線が認識されないことを意味する。
【００４５】
〈表１〉は図２に示したバックライトアセンブリの収納容器に光学プレート１３０のみを設けた状態で行われた、ピッチＰ及びギャップＧによる輝線評価及び輝度測定の結果である。
【表１】
2004063459.tif 000003
〈表１〉で、バックライトアセンブリのランプ１２０間ピッチＰは１３ｍｍで一定とする。
【００４６】
ここで、ピッチＰはいずれか一つのランプの中心から隣接するランプの中心までのの間隔として定義され、ギャップＧはいずれか一つのランプの中心から光学プレート１３０の底面までの垂直距離として定義される。
【００４７】
実験では光学プレート１３０のみが使用され、光学プレート１３０の透過率は４９％であった。ここで、ギャップは４．７ｍｍ、５．７ｍｍ、６．７ｍｍ、７．７ｍｍとして１ｍｍずつ増加させながら実験した。
【００４８】
ここで、ギャップＧが増加されるにつれて〈表１〉に示したように輝度は段々減少され、輝線評価項目によると、輝線は段々弱くなった。
【００４９】
ここで、ギャップＧが増加するにつれて輝度が減少するのは、ランプで発生した光の強度（または、調度）が、ギャップＧが増加するほどギャップの二乗に反比例して減少されるためである。
【００５０】
一方、ギャップが増加するにつれてディスプレーによくない影響を及ぼす輝線は段々弱くなる。これは、ギャップが増加されるにつれてランプから発生された光が光学プレート上に照射される面積が増加するためである。
【００５１】
従って、ランプのピッチが一定に維持された状態でギャップを調整することにより、ディスプレーによくない影響を及ぼす輝線を最小化することができる。
【００５２】
以下、ランプのピッチの、ランプとプレートとの間のギャップに対する比率（ピッチ／ギャップ）を“輝線防止比率”と称する。
【００５３】
〈表１〉によると、輝線防止比率が少なくとも２．０である場合、輝線はディスプレーが可能な程度に弱くなる。しかし、輝線防止比率をさらに精密に調節することにより、輝線が発生しない範囲内でバックライトアセンブリの全体的な厚さを最少化することができる。
【００５４】
例えば、良質のディスプレーを実施し、バックライトアセンブリの厚さを最少化し、及び所望である輝度を得るためには、輝線防止比率を１．８〜１．７程度にすることが望ましい。
【００５５】
また、輝線防止比率を１．７以下で形成する場合にも、ディスプレー映像に輝線は発生しないが、輝線防止比率が低くなるほどギャップが大きく増加してバックライトアセンブリの厚さ及び体積が増加されるので、輝線防止比率は少なくとも１．３程度を維持することが望ましい。
【００５６】
また、液晶表示装置で輝度は非常に重要である。輝度が低い場合、映像を正確に認識することができないので、ディスプレー品質が大きく低下される。
【００５７】
〈表１〉では、一枚の光学プレートを使用して輝線評価及び輝度を測定した。
【００５８】
一方、〈表２〉は、一枚の光学プレートに輝度を向上させる光学シートを少なくとも一枚、望ましくは二枚の光学シートを追加することにより、輝線の発生を抑制しながら、厚さを最少化し、輝度も向上できることを示している。
【００５９】
ここで、“光学シート”は光の輝度及び輝度均一性を向上させるための拡散シートである。
【００６０】
図４は、本発明の第２実施形態によるバックライトアセンブリの断面図である。
【表２】
2004063459.tif 000004
【００６１】
図４及び〈表２〉を参照すると、光学プレート１３０の上面に二枚の光学シート１３３をさらに追加する場合、〈表１〉に示したように一枚の光学プレート１３０を使用した時に比べて輝線評価がさらに良好であり、輝度も大きく増加されることが確認された。
【００６２】
具体的には、光学プレート１３０及び二枚の光学シート１３３を共に使用しながら輝線防止比率が２．０になるようにランプのピッチ及びギャップを調整した場合、輝線の強度はディスプレーを行うのに十分な程度に弱かった。輝度は光学プレート１３０のみを使用した時に比べて約３０％以上増加してディスプレー品質が向上した。
【００６３】
光学プレート１３０及び二枚の光学シート１３３を共に使用しながら輝線防止比率が２．３、１．９及び１．７になるようにランプ１２０のピッチを固定した状態でギャップを調整した場合にも、輝線が最少化されることは勿論、輝度が３０％〜３５％程度増加してディスプレー品質が向上した。
【００６４】
従って、〈表１〉及び〈表２〉に示すように、光学プレートのみでディスプレーを実施してもよいが、さらに良質のディスプレーを実施するためには光学プレートと共に輝度を向上させる光学シートを使用することが望ましい。
【００６５】
図５は本発明の第３実施形態によるバックライトアセンブリの断面図である。
【００６６】
図５に示すように、バックライトアセンブリ１００には光学プレート１３０に光学シート１３３が少なくとも一枚以上積層された状態で光が液晶表示パネルの下部偏光板に吸収され、輝度が低下されることを防止するために輝度強化フィルム（Ｂｒｉｇｈｔｎｅｓｓ　Ｅｎｈａｎｃｅｄ　Ｆｉｌｍ、ＢＥＦ）またはデュアル輝度強化フィルム（Ｄｕｅｌ　Ｂｒｉｇｈｔｎｅｓｓ　Ｅｎｈａｎｃｅｄ　Ｆｉｌｍ、ＤＢＥＦ（商標名）、３Ｍ社）をさらに設けることができる。また、輝度強化フィルム及びデュアル輝度強化フィルムの両方を使用することも望ましい。
【００６７】
本発明では、望ましい一実施形態として、デュアル輝度強化フィルム１３５を使用する。
【００６８】
デュアル輝度強化フィルム１３５は光がバックライトアセンブリの上面に位置する液晶表示パネルの下部偏光板に吸収されることを防止する。また、デュアル輝度強化フィルム１３５により再生され強化された光は、液晶表示装置の視野角を拡張させることにより、不必要である電力消費も防止する。
【表３】
2004063459.tif 000005
【００６９】
〈表３〉には、図５に示すように光学プレート、二枚の光学シート及びデュアル輝度強化フィルムが設けられたバックライトアセンブリで、輝線防止比率の変化による輝線評価及び輝度を測定した結果が示されている。
【００７０】
ここで、ランプ１２０間のピッチは１３ｍｍに固定され、ギャップは４．７ｍｍから７．７ｍｍまで１ｍｍ間隔で増加される。
【００７１】
実験の結果、輝線評価ではデュアル輝度強化フィルム１３５により〈表１〉、〈表２〉に示した結果より良好な結果を得た。デュアル輝度強化フィルム１３５を使用する場合、輝線防止比率が２．０程度であっても、光学プレートまたは光学プレートに二枚光学シートが設けられる時に比べて、比較的良好なディスプレー性能を有することができる。
【００７２】
〈表４〉は光学プレートの透過率を５９％に増加させた状態で光学プレート１３０、光学プレート１３０に二枚の光学シート１３３、光学プレート１３０に二枚の光学シート１３３及びデュアル輝度強化フィルム１３５を形成した状態で各々の輝線評価及び輝度を示した表である。
【００７３】
ここで、実験条件は透過率のみを増加させ、ランプ１２０間のピッチは１３ｍｍであり、ギャップは７．７ｍｍであり、従って輝線防止比率は約１．７である。
【表４】
2004063459.tif 000006
【００７４】
〈表４〉によると、光学プレートの透過率が４９％から５９％に調整されることにより、輝線評価は若干悪くなったが、輝度は〈表３〉の実験に比べて向上されたことが示された。
【００７５】
〈表４〉のような構成を有するバックライトアセンブリは、例えば、さらに多い輝度が要求される液晶表示装置の場合において、特に適している。
【００７６】
〈表５〉には、光学プレートの透過率を４９％から５９％に調整した状態で、輝線防止比率をさらに減少させて、輝線強度の減少につれて高品質ディスプレーを具現できることが示されている。
【表５】
2004063459.tif 000007
【００７７】
〈表５〉には光学プレートの透過率を４９％から５９％に高くした状態で輝線防止比率を〈表４〉に比べて小さい１．５程度になるようにする場合の、輝線評価及び輝度測定の結果が示されている。
【００７８】
輝線評価結果は良好であり、輝度は若干上昇した。即ち、透過率を変更させても輝線には別の影響を及ぼさずに、輝度のみ影響を及ぼす。
【００７９】
〈表６〉乃至〈表８〉は、逆に、光学プレートの透過率を４９％から４１％に減少させた状態で輝線評価及び輝度を測定した結果を示している。
【表６】
2004063459.tif 000008
【表７】
2004063459.tif 000009
【表８】
2004063459.tif 000010
【００８０】
〈表６〉乃至〈表８〉を参照すると、光学プレート１３０の透過率を４９％から４１％に低下させても輝線評価及び輝度は結局ランプ１２０のピッチ及びランプ１２０と光学プレート１３０のギャップにより算出される輝線防止比率により左右されることが示された。
【００８１】
具体的に、輝線評価は輝線防止比率が２．０程度より小さくなると良質のディスプレーを実施することができる程度に輝線が弱くなり、１．８〜１．７程度では、輝線によりディスプレーが影響を受けないように最適化された。
【００８２】
ここで、輝線は光学プレート１３０を使用する時より光学プレート１３０に二枚の光学シート１３３を使用する時の方が、さらに良好な結果が得られ、光学プレート１３０に二枚の光学シート１３３及びデュアル輝度強化フィルム１３５を使用する場合にはさらに良好な結果が得られる。
【００８３】
〈表９〉乃至〈表１１〉はランプのピッチ変化による輝線及び輝度の関係を説明するための表である。
【００８４】
〈表９〉乃至〈表１１〉はランプのピッチを１３ｍｍから１８ｍｍに増加させた状態で輝線防止比率を段々減少させた時、輝線評価及び輝度分布の結果が示されている。〈表９〉乃至〈表１１〉で光学プレートの透過率は４９％で一定とする。
【表９】
2004063459.tif 000011
【表１０】
2004063459.tif 000012
【表１１】
2004063459.tif 000013
【００８５】
〈表９〉乃至〈表１１〉に示すように、輝線は輝線防止比率を２．７から１．５まで段々減少させた結果、全ての場合でディスプレー可能な程度に弱くなった。
【００８６】
特に、輝線防止比率が１．８〜１．７であった時、特に良好な結果が得られた。これ以外にも、輝線防止比率を１．３まで低下させても輝線は輝線防止比率が１．７であった時と同一であった。
【００８７】
また、〈表９〉乃至〈表１１〉には光学プレートのみを使用した場合より、拡散プレートに少なくとも一枚の光学シートまたは光学プレートに光学シート及びデュアル輝度強化フィルムを使用する場合の方が、ランプで発生する輝線をさらに効果的に除去することができる。
【００８８】
一方、〈表１２〉乃至〈表１４〉には、ランプのピッチを１８ｍｍから２３ｍｍに増加させた状態で、輝線防止比率を段々減少させた時の輝線評価及び輝度が示されている。ここで、〈表１２〉乃至〈表１４〉で光学プレートの透過率は４９％で一定とする。
【表１２】
2004063459.tif 000014
【表１３】
2004063459.tif 000015
【表１４】
2004063459.tif 000016
【００８９】
〈表１２〉乃至〈表１４〉に示すように、ランプのピッチを１８ｍｍから２３ｍｍに増加させた状態で、輝線防止比率を２．６から１．８まで減少させる場合、輝線はディスプレー可能である程度に弱くなった。特に、輝線防止比率を１．８以下に減少する場合、輝線による問題点は最少化し、輝度は最大化することができる。
【００９０】
ここで、光学プレートのみを使用する場合より、二枚の拡散シートまたは二枚の拡散シートにデュアル輝度強化フィルムを使用する場合の方が、輝線を良好に除去して、さらに高品質ディスプレーを実施することができる。
【００９１】
〈表１２〉乃至〈表１４〉では光学プレートで輝線を除去するためのパターンを形成しない状態で実験が行われたが、光学プレートに輝線を除去するための輝線除去パターンを形成する場合には、さらに優れるディスプレー品質が得られる。
【００９２】
図６は、本発明の第４実施形態による、ランプと向き合う光学プレートに輝線防止パターンが形成されたバックライトアセンブリの断面図である。
【００９３】
図６に示すように、輝線防止パターン１３７はランプ１２０で発生した光のうち、光学プレート１３０に到達する光を拡散させる役割を有する。
【００９４】
光学プレートに輝線防止パターンが形成された状態では、輝線防止比率を望ましくは２．３〜１．７程度に調整することが望ましい。
【００９５】
図７は本発明の望ましい一実施形態による液晶表示装置の断面図である。
【００９６】
図７に示すように、液晶表示装置５００はバックライトアセンブリ１００、液晶表示パネルアセンブリ２００及びシャーシ３００により構成される。図面符号４００はバックカバーである。
【００９７】
バックライトアセンブリ１００は前述した図１乃至図５を通じて詳細に説明したように、収納フレーム１１５及びボトムシャーシ１１９を含む収納容器１１０、ランプ１２０、光学プレート１３０及び光学シート１３３により構成される。
【００９８】
ここで、ランプ１２０間ピッチＰとランプ１２０の中心から光学プレート１３０の底面までのギャップＧとの比率、即ち、輝線防止比率（ピッチ／ギャップ）は、１．３〜２．０になるようにすることが望ましい。
【００９９】
このように、輝線防止比率を１．３〜２．０に維持する場合、ディスプレーを実施する時、ランプ１２０による輝線が認識されることを最少化することができる。
【０１００】
以下、バックライトアセンブリ１００の詳細な説明は、前述した図１乃至図６及び、前述した〈表１〉乃至〈表１４〉により詳細に説明されたので、その説明は省略する。
【０１０１】
以下、バックライトアセンブリ１００と同じ部分に対して、同じ図面符号及び同じ名称を付与する。
【０１０２】
バックライトアセンブリ１００の収納容器１１０には、液晶表示パネルアセンブリ２００が定着される。
【０１０３】
ここで、液晶表示パネルアセンブリ２００と収納容器１１０に収納されたランプ１２０との間には、光学プレート１３０、二枚の拡散シート１３３及び一枚のデュアル輝度強化フィルム１３５が設けられる。
【０１０４】
図８は本発明の一実施形態による液晶表示パネルアセンブリの分解斜視図である。
【０１０５】
図８に示すように、液晶表示パネルアセンブリ２００は、液晶表示パネル２３５及び駆動モジュール２５５により構成される。
【０１０６】
液晶表示パネル２３５は、ＴＦＴ基板２１０、液晶２３０及びカラーフィルタ基板２２０により構成される。
【０１０７】
ＴＦＴ基板２１０はガラス基板２０１、薄膜トランジスター２１８（図９）及び画素電極２１６（図９）により構成される。
【０１０８】
図９は、本発明の一実施形態による液晶表示パネルの薄膜トランジスター及び画素電極を示した概念図である。
【０１０９】
薄膜トランジスター２１８はガラス基板２０１に半導体薄膜工程によりマトリックス状に配列される。図９に示すように、薄膜トランジスター２１８はゲート電極Ｇ、ドレーン電極Ｄ、ソース電極Ｓ及びチャンネル層Ｃにより構成される。ゲート電極Ｇにはゲートライン２１４が連結され、ソース電極Ｓにはデータライン２１２が連結される。
【０１１０】
マトリックス状に配列された各々の薄膜トランジスター２１８のドレーン電極Ｄには、透明な画素電極２１６が連結される。画素電極２１６は透明であり且つ導電性であるインジウムティンオキサイド（ＩＴＯ）またはインジウムジンクオキサイド（ＩＺＯ）により製作される。
【０１１１】
図１０は、本発明の一実施形態によるカラーフィルタ基板の断面図である。図８に示すように、カラーフィルタ基板２２０はＴＦＴ基板２１０と合着される。カラーフィルタ基板２２０はガラス基板２２２、カラーフィルタ２２４、ブラックマトリックス２２８及び共通電極２２６により構成される。
【０１１２】
カラーフィルタ２２４は、ガラス基板２２２に、ＴＦＴ基板２１０の画素電極２１６と向き合うように形成され、フルカラーディスプレーを具現するために、レッドカラーフィルタ、グリーンカラーフィルタ、ブルーカラーフィルタにより構成される。
【０１１３】
ブラックマトリックス２２８はカラーフィルタ２２４間に形成され、液晶２３０を制御することができない部分に光が漏洩されることを遮断する役割を有する。
【０１１４】
共通電極２２６はカラーフィルタ２２４が覆われるようにガラス基板２２２の全面積にわたって形成され、画素電極２１６に印加された電源によって液晶に指定された電界が形成されるようにする。
【０１１５】
このような構成を有する液晶表示パネル２３５には駆動モジュール２５５が連結される。
【０１１６】
図８に示すように、駆動モジュール２５５は印刷回路基板２４０及びテープキャリアパッケージ２５０により構成される。
【０１１７】
テープキャリアパッケージ２５０は、その第１端部がゲートライン２１４及びデータライン２１２に各々連結され、第１端部と向き合う第２端部が印刷回路基板２４０に連結されるように構成されている。
【０１１８】
図７に示すように、このような構成を有する液晶表示パネルアセンブリ２００はバックライトアセンブリ１００の収納容器１１０に収納される。
【０１１９】
シャーシ３００はバックライトアセンブリ１００に収納された液晶表示パネルアセンブリ２００のエッジ部分を取り囲んで、バックライトアセンブリ１００から液晶表示パネルアセンブリ２００が離脱されないようにすることは勿論、割れやすい液晶表示パネルが外部の衝撃により破損されることを防止する。
【０１２０】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１２１】
【発明の効果】
本発明によると、液晶表示パネルに光を供給するランプのピッチのランプの中央から光学プレートまでの間のギャップに対する比率を調節することにより、ディスプレーに悪影響を及ぼす輝線を最少化することは勿論、輝線を最少化する過程でバックライトアセンブリの厚さ増加も最少化して高品質ディスプレーを可能であるようにする効果を有する。
【０１２２】
本発明では望ましい一実施形態として、輝線防止比率を１．５程度まで小さくして実験した結果を示したが、輝線防止比率を１．５以下、例えば、１．３程度まで低下させても本発明が具現する目的を十分に達成することができる。
【０１２３】
また、本発明の望ましい一実施形態の光学プレートの透過率を４１％から５９％までの間で実験したが、光学プレートの透過率は３５％〜６５％であっても本発明の目的を十分に具現することができる。
【図面の簡単な説明】
【図１】本発明の第１実施形態によるバックライトアセンブリの平面図である。
【図２】本発明の第１実施形態によるバックライトアセンブリのＡ−Ａ断面図である。
【図３】図１のＢ−Ｂ断面図である。
【図４】本発明の第２実施形態によるバックライトアセンブリの断面図である。
【図５】本発明の第３実施形態によるバックライトアセンブリの断面図である。
【図６】本発明の第４実施形態により光学プレートのうち、ランプと向き合う光学プレートに輝線防止パターンが形成されたバックライトアセンブリの断面図である。
【図７】本発明の望ましい一実施形態による液晶表示装置の断面図である。
【図８】本発明の一実施形態による液晶表示パネルアセンブリの分解斜視図である。
【図９】本発明の一実施形態による液晶表示パネルの薄膜トランジスター及び画素電極を示した概念図である。
【図１０】本発明の一実施形態によるカラーフィルタ基板の断面図である。
【符号の説明】
１００　　バックライトアセンブリ
１１５　　収納フレーム
１１９　　ボトムシャーシ
１３０　　光学プレート
１３３　　光学シート
１３５　　デュアル輝度強化フィルム
２００　　液晶表示パネルアセンブリ
２０１　　ガラス基板
２１２　　データライン
２１４　　ゲートライン
２１６　　画素電極
２１８　　薄膜トランジスター
２２２　　ガラス基板
２２４　　カラーフィルタ
２４０　　印刷回路基板
２５０　　テープキャリアパッケージ
２５５　　駆動モジュール
３００　　シャーシ
【図１】
2004063459.tif 000017
【図２】
2004063459.tif 000018
【図３】
2004063459.tif 000019
【図４】
2004063459.tif 000020
【図５】
2004063459.tif 000021
【図６】
2004063459.tif 000022
【図７】
2004063459.tif 000023
【図８】
2004063459.tif 000024
【図９】
2004063459.tif 000025
【図１０】
2004063459.tif 000026